(57)【要約】【課題】  コピー機能の実行状態に拘わらず、プリント機能要求が無い状態が所定時間継続している場合には、第２の制御手段に対する電力供給を非同期なタイミングで速やかに遮断してプリント機能スリープ状態に遷移させることである。【解決手段】  コピー機能の使用状況に応じて、コピー機能の動作に必要なＣＰＵ１２０１，サブＣＰＵ１３２０に対する電力の供給または遮断を制御して、第１のスリープ状態から第１のスタンバイ状態への電力供給移行の制御と、各データ処理装置上の監視プログラムにより前記所定のデータ処理を伴う要求が行われた場合に発行される所定のコマンドを検出して、サブＣＰＵ１３２０への電力の供給または遮断を制御して、第２のスリープ状態または第２のスタンバイ状態への電力供給移の制御とを独立して制御を行う構成を特徴とする。【選択図】  図５
2005254483.tif 000002
【特許請求の範囲】
【請求項１】
プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置であって、
前記プリンタ部とスキャナ部とを利用する各機能処理を総括制御する第１の制御手段と、
前記第１の制御手段によるプリンタ部の機能処理実行時に、プリント機能に伴う所定のデータ処理を実行する第２の制御手段と、
前記操作部からの選択に基づくコピー機能の使用状況に応じて、コピー機能の動作に必要な前記第１または第２の制御手段に対する電力の供給または遮断を制御して、第１のスリープ状態から第１のスタンバイ状態への電力供給移行を制御する第１の電力制御手段と、
前記各データ処理装置上の監視プログラムにより前記所定のデータ処理を伴う要求が行われた場合に発行される所定のコマンドを検出して、前記第２の制御手段への電力の供給または遮断を制御して、第２のスリープ状態または第２のスタンバイ状態への電力供給移行を制御する第２の電力制御手段と、
前記第１の電力制御手段と前記第２の電力制御手段とを独立して制御を行う電力制御管理手段と、
を有することを特徴とする画像処理装置。
【請求項２】
前記第１のスリープ状態への移行までの所定時間をカウントする第１のスリープタイマを有し、
前記第１の電力制御手段は、前記第１のスリープタイマがタイムアップした場合に、前記第１のスタンバイ状態から第１のスリープ状態に移行させることを特徴とする請求項１記載の画像処理装置。
【請求項３】
前記第２のスリープ状態への移行までの所定時間をカウントする第２のスリープタイマを有し、
前記第２の電力制御手段は、前記第２のスリープタイマがタイムアップした場合に、第２のスタンバイ状態から第２のスリープ状態に移行させることを特徴とする請求項１記載の画像処理装置。
【請求項４】
プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置であって、
前記プリンタ部とスキャナ部とを利用する各機能処理を総括制御する第１の制御手段と、
前記第１の制御手段によるプリンタ部の機能処理実行時に、プリント機能に伴う所定のデータ処理を実行する第２の制御手段と、
実行すべき機能に対するプリンタ部とスキャナ部との使用状況に基づいて、プリント機能スタンバイとコピー機能スタンバイとで前記第１と第２の制御手段に対して異なる電力供給状態に遷移させる電力制御手段と、
を備えることを特徴とする画像処理装置。
【請求項５】
前記電力制御手段は、前記データ処理装置から発行される所定のコマンドを検出した後、実行すべき機能に対するプリンタ部とスキャナ部との使用状況に基づいて、プリント機能スタンバイとコピー機能スタンバイとで前記第１と第２の制御手段に対して異なる電力供給状態に遷移させることを特徴とする請求項４記載の画像処理装置。
【請求項６】
プリンタ部とスキャナ部とを備え、ネットワーク上の複数のホストコンピュータからのプリント機能処理要求を制御可能で、かつ操作部からのコピー機能選択指示に基づきコピー機能処理要求を制御可能な画像処理装置と通信可能なデータ処理装置であって、
前記画像処理装置に対して、前記プリント機能またはコピー機能毎にスリープモードへの異なる複数の移行条件を設定する設定手段と、
前記設定手段により設定された移行条件を満たしているかどうかを監視判定する監視手段と、
前記監視手段によりいずれかの移行条件を満たしていると判定した場合に、前記画像処理装置に対して節電機能を有効とさせる所定のコマンドを発行する節電指示手段と、
を有することを特徴とするデータ処理装置。
【請求項７】
前記所定のコマンドは、節電コマンドと、スリープコマンドとを含むことを特徴とする請求項６記載のデータ処理装置。
【請求項８】
前記設定手段は、前記画像処理装置に対して、前記プリント機能またはコピー機能毎にスリープモードへの異なる複数の移行条件を所定のスリープモード設定画面を介して設定可能とすることを特徴とする請求項６記載のデータ処理装置。
【請求項９】
前記所定のスリープモード設定画面は、前記プリント機能またはコピー機能を個別のスリープモードとして設定するための選択項目を表示することを特徴とする請求項６記載のデータ処理装置。
【請求項１０】
プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置における電力制御方法であって、
前記プリンタ部とスキャナ部とを利用する各機能処理を総括制御する第１の制御ステップと、
前記第１の制御ステップによるプリンタ部の機能処理実行時に、プリント機能に伴う所定のデータ処理を実行する第２の制御ステップと、
前記操作部からの選択に基づくコピー機能の使用状況に応じて、コピー機能の動作に必要な第１または第２の制御手段に対する電力の供給または遮断を制御して、第１のスリープ状態から第１のスタンバイ状態への電力供給移行を制御する第１の電力制御ステップと、
前記各データ処理装置上の監視プログラムにより前記所定のデータ処理を伴う要求が行われた場合に発行される所定のコマンドを検出して、前記第２の制御手段への電力の供給または遮断を制御して、第２のスリープ状態または第２のスタンバイ状態への電力供給移行を制御する第２の電力制御ステップと、
前記第１の電力制御ステップと前記第２の電力制御ステップとを独立して制御を行う電力制御管理ステップと、
を有することを特徴とする電力制御方法。
【請求項１１】
前記第１の電力制御ステップは、前記第１のスリープ状態への移行までの所定時間をカウントする第１のスリープタイマがタイムアップした場合に、第１のスタンバイ状態から第１のスリープ状態に移行させることを特徴とする請求項１０記載の電力制御方法。
【請求項１２】
前記第２の電力制御ステップは、前記第２のスリープ状態への移行までの所定時間をカウントする第２のスリープタイマがタイムアップした場合に、第２のスタンバイ状態から第２のスリープ状態に移行させることを特徴とする請求項１０記載の電力制御方法。
【請求項１３】
プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置における電力制御方法であって、
前記プリンタ部とスキャナ部とを利用する各機能処理を総括制御する第１の制御ステップと、
前記第１の制御ステップによるプリンタ部の機能処理実行時に、プリント機能に伴う所定のデータ処理を実行する第２の制御ステップと、
実行すべき機能に対するプリンタ部とスキャナ部との使用状況に基づいて、プリント機能スタンバイとコピー機能スタンバイとで前記第１と第２の制御ステップに対して異なる電力供給状態に遷移させる電力制御ステップと、
を備えることを特徴とする電力制御方法。
【請求項１４】
前記電力制御ステップは、前記データ処理装置から発行される所定のコマンドを検出した後、実行すべき機能に対するプリンタ部とスキャナ部との使用状況に基づいて、プリント機能スタンバイとコピー機能スタンバイとで前記第１と第２の制御手段に対して異なる電力供給状態に遷移させることを特徴とする請求項１３記載の電力制御方法。
【請求項１５】
プリンタ部とスキャナ部とを備え、ネットワーク上の複数のホストコンピュータからのプリント機能処理要求を制御可能で、かつ操作部からのコピー機能選択指示に基づきコピー機能処理要求を制御可能な画像処理装置と通信可能なデータ処理装置における電力制御方法であって、
前記画像処理装置に対して、前記プリント機能またはコピー機能毎にスリープモードへの異なる複数の移行条件を設定する設定ステップと、
前記設定ステップにより設定された移行条件を満たしているかどうかを監視判定する監視ステップと、
前記監視ステップによりいずれかの移行条件を満たしていると判定した場合に、前記画像処理装置に対して節電機能を有効とさせる所定のコマンドを発行する節電指示ステップと、
を有することを特徴とする電力制御方法。
【請求項１６】
前記所定のコマンドは、節電コマンドと、スリープコマンドとを含むことを特徴とする請求項１５記載の電力制御方法。
【請求項１７】
前記所定のスリープモード設定画面は、前記プリント機能またはコピー機能を個別のスリープモードとして設定するための選択項目を表示することを特徴とする請求項１５記載の電力制御方法。
【請求項１８】
請求項１０〜１７のいずれかに記載の電力制御方法を実行させるためのプログラムを格納したことを特徴とするコンピュータが読み取り可能な記憶媒体。
【請求項１９】
請求項１０〜１７のいずれかに記載の電力制御方法を実行させることを特徴とするプログラム。
【発明の詳細な説明】
【技術分野】
【０００１】
本発明は、プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置および該画像処理装置と通信可能なデータ処理装置および電力制御方法およびコンピュータが読み取り可能なプログラムを格納した記憶媒体およびプログラムに関するものである。
【背景技術】
【０００２】
従来、この種の印刷装置、例えば、レーザービームプリンタに代表されるページプリンタは、印刷データを受信するインタフェースコントローラと、印刷イメージを受信するインタフェースコントローラと、印刷イメージを発生すると共に装置全体を制御するプリンタコントローラと、実際に印刷を行うプリンタエンジンとを有する。
【０００３】
このようなページプリンタでは、ＣＰＵを搭載しているプリンタコントローラと、熱定着器を有するプリンタエンジンの電力消費が大きいので、印刷待ち状態、すなわち、上位装置（ホストコンピュータ等）から印刷データが供給されなくなってから所定時間が経過したとき、プリンタコントローラとプリンタエンジン、とりわけ、ＣＰＵや熱定着器への電力供給を遮断して電力消費を抑えるスリープモードを搭載している。
【０００４】
このようなプリンタは、スリープモードへの移行およびスリープモードから通常のスタンバイ状態に復帰させる解除指示等は、インタフェースコントローラやプリンタコントローラが制御している。
【０００５】
すなわち、電源投入時または印刷処理が完了してから所定期間が経過しても、次の印刷データの受信がホストコンピュータ等からない場合に、プリンタコントローラやプリンタエンジンへの電力供給を遮断し、その後、印刷データを受信した、その時点でスリープモードであった場合には、プリンタコントローラやプリンタエンジンへの電力供給を行うという処理を行っており、下記特許文献１のようにホストコンピュータの状態を監視し、スリープ復帰時の熱定着器のウォームアップ動作タイミングをインテリジェントに行うことによりプリンタ装置の電力を制御することが提案されている。
【０００６】
一方、スキャナ、コピー、プリンタ、ＦＡＸ機能等の複数の機能を有するマルチファンクションシステム（画像処理システム）においては、システムの稼動状態により装置全体としてシステムを構成する特定のユニットに対して電力制御を行っている。
【０００７】
例えば操作部を介して所定時間操作が行われなければ操作部のみ電源をＯＦＦにし、プリンタエンジンはスタンバイ状態を保持するといった節電モードへの移行制御や、さらにネットワークを介してプリントデータの受信がない状態が、ある所定時間経過すればプリンタエンジンの熱定着器の電力も切るスリープモードへ移行するといった個別の電源制御を行っている。
【０００８】
また、各ユニットの制御においてマルチファンクションシステムでは、各ユニットを中心的に制御するメインコントローラには、メインＣＰＵとその処理を補助する役割でアクセラレータＣＰＵが搭載されており、アクセラレータＣＰＵではホストコンピュータからのＰＤＬデータをビットマップデータへの展開等の処理を行っている。
【０００９】
そして、メインコントローラでは制御の負荷分散を行うことによりコピー、ＦＡＸ、プリンタ等の複合動作をスムーズに行うことが出来るシステムとなっていると共に、非稼動状態時に消費電力をおさえる制御を行っている。
【特許文献１】特開２０００−２１８８９４号公報
【発明の開示】
【発明が解決しようとする課題】
【００１０】
このようなページプリンタやマルチファンクションシステムは印刷データを受信した後にプリンタコントローラやプリンタエンジンへの電源供給を行い、定着器として加熱方式の熱定着装置を採用したプリンタの場合は、大きな熱容量の熱ローラに電源供給してから、熱定着器が印刷可能な温度に上昇させるウォームアップを行う。
【００１１】
また、マルチファンクションシステムのようにメインＣＰＵとサブＣＰＵとから構成されるシステムにおいては、システムとして同時並列的に複合動作をスムーズに行うことが可能であり、非稼動状態において節電モードやスリープモードのように電力制御にレベルが設けられている電力制御が行われているが、現状では、スタンバイ状態でプリント着信がなくてもコピー動作が行われている場合は、サブＣＰＵも電力供給されている状態にあった。
【００１２】
なお、サブＣＰＵから構成されるアクセラレータはメインコントローラと同等の電力消費量であり、サブＣＰＵとしての消費電力は無視できないものである。
【００１３】
つまり、コントローラを構成するメインＣＰＵとサブＣＰＵは、通常の熱定着器がウォームアップ完了状態であるスタンバイ時にはプリンタ着信がなくても電力を消費するため、ＰＤＬアクセラレータとして作用するサブＣＰＵはスタンバイ時でもプリント受信がなければ供給をストップするという個別の電源制御を行う必要がある。
【００１４】
これまではプリンタエンジンと同系統の電力制御系統であったため、コピー機能使用時にスリープ復帰してスタンバイ状態になると、サブＣＰＵから構成されるアクセラレータへの電力供給が行われていた。
【００１５】
なお、複合機における機能としてコピー機能およびプリンタ機能として各々使用する際に動作するハードウェアは限定される。
【００１６】
つまり、コピー機能のみ使用される状況にある場合はプリンタエンジンが必ず動作するので熱定着器のウォームアップ動作は必ず行われるが、この際、コントローラを構成するサブＣＰＵは動作させる必要がないにもかかわらず、電力供給が実行されてしまうため、節電効果が低いという複合機特有の課題が指摘されていた。
【００１７】
本発明は、上記の課題を解決するためになされたもので、本発明の第１の目的は、操作部からの選択に基づくコピー機能の使用状況に応じて、コピー機能の動作に必要な第１または第２の制御手段に対する電力の供給または遮断を制御して、第１のスリープ状態から第１のスタンバイ状態への電力供給移行の制御と、各データ処理装置上の監視プログラムにより前記所定のデータ処理を伴う要求が行われた場合に発行される所定のコマンドを検出して、前記第２の制御手段への電力の供給または遮断を制御して、第２のスリープ状態または第２のスタンバイ状態への電力供給移行の制御とを独立して制御を行うことにより、コピー機能の実行状態に拘わらず、プリント機能要求が無い状態が所定時間継続している場合には、第２の制御手段に対する電力供給を非同期なタイミングで速やかに遮断してプリント機能スリープ状態に遷移させることで、コピー機能実行時にも節電効果を向上させることができるインテリジェントな電力制御を実現できる画像処理装置および電力制御方法およびコンピュータが読み取り可能なプログラムを格納した記憶媒体およびプログラムを提供することにある。
【００１８】
第２の目的は、プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置において、実行すべき機能に対するプリンタ部とスキャナ部との使用状況に基づき、プリント機能スタンバイとコピー機能スタンバイとで前記プリンタ部とスキャナ部とを利用する各機能処理を総括制御する第１の制御と、前記第１の制御手段によるプリンタ部の機能処理実行時に、プリント機能に伴う所定のデータ処理を実行する第２の制御とで異なる電力供給状態に遷移させることにより、コピー機能実行時にも節電効果を向上させることができるインテリジェントな電力制御を実現できる画像処理装置および電力制御方法およびコンピュータが読み取り可能なプログラムを格納した記憶媒体およびプログラムを提供することにある。
【００１９】
第３の目的は、画像処理装置に対して、前記プリント機能またはコピー機能毎にスリープモードへの異なる複数の移行条件を設定し、該設定された移行条件を満たしているかどうかを監視し、該監視により満たしていると判定した場合に、前記画像処理装置に対して節電機能を有効とさせる所定のコマンドを発行することにより、データ処理装置側のスリープモード設定に適応して、画像処理装置がコピー機能実行時にも節電効果を向上させることができるインテリジェントな電力制御指示を最適なタイミングで行うことができるデータ処理装置および電力制御方法およびコンピュータが読み取り可能なプログラムを格納した記憶媒体およびプログラムを提供することにある。
【課題を解決するための手段】
【００２０】
本発明は、プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置であって、前記プリンタ部とスキャナ部とを利用する各機能処理を総括制御する第１の制御手段と、前記第１の制御手段によるプリンタ部の機能処理実行時に、プリント機能に伴う所定のデータ処理を実行する第２の制御手段と、前記操作部からの選択に基づくコピー機能の使用状況に応じて、コピー機能の動作に必要な前記第１または第２の制御手段に対する電力の供給または遮断を制御して、第１のスリープ状態から第１のスタンバイ状態への電力供給移行を制御する第１の電力制御手段と、前記各データ処理装置上の監視プログラムにより前記所定のデータ処理を伴う要求が行われた場合に発行される所定のコマンドを検出して、前記第２の制御手段への電力の供給または遮断を制御して、第２のスリープ状態または第２のスタンバイ状態への電力供給移行を制御する第２の電力制御手段と、前記第１の電力制御手段と前記第２の電力制御手段とを独立して制御を行う電力制御管理手段とを有することを特徴とする。
【００２１】
本発明は、プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置であって、前記プリンタ部とスキャナ部とを利用する各機能処理を総括制御する第１の制御手段と、前記第１の制御手段によるプリンタ部の機能処理実行時に、プリント機能に伴う所定のデータ処理を実行する第２の制御手段と、実行すべき機能に対するプリンタ部とスキャナ部との使用状況に基づいて、プリント機能スタンバイとコピー機能スタンバイとで前記第１と第２の制御手段に対して異なる電力供給状態に遷移させる電力制御手段とを備えることを特徴とする。
【００２２】
本発明は、プリンタ部とスキャナ部とを備え、ネットワーク上の複数のホストコンピュータからのプリント機能処理要求を制御可能で、かつ操作部からのコピー機能選択指示に基づきコピー機能処理要求を制御可能な画像処理装置と通信可能なデータ処理装置であって、前記画像処理装置に対して、前記プリント機能またはコピー機能毎にスリープモードへの異なる複数の移行条件を設定する設定手段と、前記設定手段により設定された移行条件を満たしているかどうかを監視判定する監視手段と、前記監視手段によりいずれかの移行条件を満たしていると判定した場合に、前記画像処理装置に対して節電機能を有効とさせる所定のコマンドを発行する節電指示手段とを有することを特徴とする。
【００２３】
本発明は、プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置における電力制御方法であって、前記プリンタ部とスキャナ部とを利用する各機能処理を総括制御する第１の制御ステップと、前記第１の制御ステップによるプリンタ部の機能処理実行時に、プリント機能に伴う所定のデータ処理を実行する第２の制御ステップと、前記操作部からの選択に基づくコピー機能の使用状況に応じて、コピー機能の動作に必要な第１または第２の制御ステップに対する電力の供給または遮断を制御して、第１のスリープ状態から第１のスタンバイ状態への電力供給移行を制御する第１の電力制御ステップと、各データ処理装置上の監視プログラムにより前記所定のデータ処理を伴う要求が行われた場合に発行される所定のコマンドを検出して、前記第２の制御ステップへの電力の供給または遮断を制御して、第２のスリープ状態または第２のスタンバイ状態への電力供給移行を制御する第２の電力制御ステップと、前記第１の電力制御ステップと前記第２の電力制御ステップとを独立して制御を行う電力制御管理ステップとを有することを特徴とする。
【００２４】
また、本発明は、プリンタ部とスキャナ部とを備え、ネットワーク上の複数のデータ処理装置からのプリント機能処理要求を制御可能で、かつ操作部からのコピー機能選択指示に基づきコピー機能処理要求を制御して複合機能処理を実行する画像処理装置における電力制御方法であって、前記プリンタ部とスキャナ部とを利用する各機能処理を総括制御する第１の制御ステップと、前記第１の制御ステップによるプリンタ部の機能処理実行時に、プリント機能に伴う所定のデータ処理を実行する第２の制御ステップと、実行すべき機能に対するプリンタ部とスキャナ部との使用状況に基づいて、プリント機能スタンバイとコピー機能スタンバイとで前記第１と第２の制御ステップに対して異なる電力供給状態に遷移させる電力制御ステップとを備えることを特徴とする。
【００２５】
本発明は、プリンタ部とスキャナ部とを備え、ネットワーク上の複数のホストコンピュータからのプリント機能処理要求を制御可能で、かつ操作部からのコピー機能選択指示に基づきコピー機能処理要求を制御可能な画像処理装置と通信可能なデータ処理装置における電力制御方法であって、前記画像処理装置に対して、前記プリント機能またはコピー機能毎にスリープモードへの異なる複数の移行条件を設定する設定ステップと、前記設定ステップにより設定された移行条件を満たしているかどうかを監視判定する監視ステップと、前記監視ステップによりいずれかの移行条件を満たしていると判定した場合に、前記画像処理装置に対して節電機能を有効とさせる所定のコマンドを発行する節電指示ステップとを有することを特徴とする。
【発明の効果】
【００２６】
本発明に係る画像処理装置によれば、コピー機能の実行状態に拘わらず、プリント機能要求が無い状態が所定時間継続している場合には、第２の制御手段に対する電力供給を非同期なタイミングで速やかに遮断してプリント機能スリープ状態に遷移させることで、コピー機能実行時にも節電効果を向上させることができるインテリジェントな電力制御を実現できる。
【００２７】
また、本発明に係るデータ処理装置によれば、データ処理装置側のスリープモード設定に適応して、画像処理装置がコピー機能実行時にも節電効果を向上させることができるインテリジェントな電力制御指示を最適なタイミングで行うことができるという効果を奏する。
【発明を実施するための最良の形態】
【００２８】
次に本発明を実施するための最良の形態について図面を参照して説明する。
【００２９】
図１は、本発明の第１実施形態を示す複合機能処理装置を適用可能な画像処理システムの一例を示すブロック図である。
【００３０】
図１において、ホストコンピュータ１０００はネットワークインタフェース（ＮＥＴ  Ｉ／Ｆ）１００１を介してネットワーク３０００に接続してあるともに、プリンタインタフェース（プリンタＩ／Ｆ）１００２を介して印刷装置２０００に接続してある。プリンタインタフェース１００２は双方向通信可能であり、ホストコンピュータ１０００上で作成された種々の印刷データや、監視プログラムが発行する節電機能制御コマンドを印刷装置２０００に送信するのに使用される。
【００３１】
ホストコンピュータ１１００はサーバ機能を持ったオペレーティングシステムにより稼動していて、ネットワークインタフェース１１０１を介してネットワーク３０００に接続してあるとともに、プリンタインタフェース１１０２を介して印刷装置２１００に接続してあり、印刷装置２１００はネットワーク３０００上にリソース供与されている。
【００３２】
印刷装置１２００はサーバ機能を持ったネットワークインタフェース１２０１を有しており、ネットワーク３０００上にリソース供与されている。
【００３３】
マルチファンクションシステム２２００はネットワークインタフェース１００３を有しておりネットワーク３０００を介して接続されているホストコンピュータ群とのデータの送受信を行っている。
【００３４】
図２は、図１に示した印刷装置２０００の構成を説明するブロック図である。なお、図１と同一のものには同一の符号を付してある。
【００３５】
図２において、印刷装置２０００はＣＰＵ１０１と、ＲＯＭ１０２と、ＲＡＭ１０３と、入出力部１０５と、印刷部インタフェース（Ｉ／Ｆ）１０６と、クロック発生部１０８と、操作パネル１０９とディスクコントローラ（ＤＣＫ）１１０とが、システムバス１０４を介して相互に接続してある。
【００３６】
ＲＯＭ１０２は制御プログラムがストアしてある。ＣＰＵ１０１はＲＯＭ１０２の制御プログラムに従って、システムバス１０４に接続されている各種のデバイスとのアクセスを総括的に制御し、印刷部インタフェース１０６を介して接続されている印刷部（印刷装置エンジン）１０７に印刷データとしての画像信号を出力するものである。
【００３７】
ＲＡＭ１０３はＣＰＵ１０１の主メモリ、ワークエリア等として用いられ、図３に示すように、入力バッファ１０３ａと、ページバッファ１０３ｂと、ワークバッファ１０３ｃ等に用いられている。
【００３８】
ＲＡＭ１０３は専用バッテリによりバックアップしてあり、印刷装置２０００の電源が落とされても、印刷装置２０００の各種設定値である環境情報を保持することが可能となっている。
【００３９】
入出力部１０５は双方向インタフェース（Ｉ／Ｆ）１００２により、ホストコンピュータ１０００と接続してあり、インタフェース回路１０５ａにより制御され、種々のデータ通信処理を制御するものである。インタフェース回路１０５ａは、ホストコンピュータ１０００から印刷データおよび節電機能制御コマンド等を受信し、ＣＰＵ１０１と、熱定着器を有する印刷部１０７と、操作パネル１０９と、ハードディスク（ＨＤ）１１１の電力供給を制御するものである。
【００４０】
クロック発生部１０８は、印刷装置２０００の内部処理のうちで特に時間処理において参照される内部クロックを発生させるものである。操作パネル１０９は印刷装置２０００を操作する操作ボタンと動作状況を表示する表示部とを有する。ディスクコントローラ（ＤＫＣ）１１０は印刷装置２０００において画像生成の際に使用される文字パターンデータや、ユーザが繰り返し使用する印刷フォームを制御するものである。
【００４１】
図３は、図２に示したＲＡＭ１０３のメモリマップを示す図であり、入力バッファ（受信バッファ）１０３ａと、ページバッファ１０３ｂと、ワークバッファ１０３ｃ等が確保された状態を示す。
【００４２】
図４は、図１に示したマルチファンクションシステムの構成を説明する断面図である。
【００４３】
図４において、１０はスキャナ部、２０はプリンタ部であり、９０１は原稿台ガラスで、原稿自動送り装置１４２から給送された原稿が順次、所定位置に載置される。９０２は例えばハロゲンランプから構成される原稿照明ランプで、原稿台ガラス９０１に載置された原稿を露光する。９０３、９０４、９０５は走査ミラーであり、図示しない光学走査ユニットに収容され、往復動しながら、原稿からの反射光をＣＣＤユニット９０６に導く。
【００４４】
ＣＣＤユニット９０６はＣＣＤに原稿からの反射光を結像させる結像レンズ９０７、例えばＣＣＤから構成される撮像素子９０８、撮像素子９０８を駆動するＣＣＤドライバ９０９等から構成されている。撮像素子９０８からの画像信号出力は、例えば８ビットのデジタルデータに変換された後、コントローラユニット９３９に入力される。また、９１０は感光ドラムであり、前露光ランプ９１２によって画像形成に備えて除電される。
【００４５】
９１３は１次帯電器であり、感光ドラム９１０を一様に帯電させる。９１７は露光手段であり、例えば半導体レーザ等で構成され、画像形成や装置全体の制御を行うコントローラユニット９３９で処理された画像データに基づいて感光ドラム９１０を露光し、静電潜像を形成する。
【００４６】
９１８は現像器であり、黒色の現像剤（トナー）が収容されている。９１９は転写前帯電器であり、感光ドラム９１０上に現像されたトナー像を用紙に転写する前に高圧をかける。９２０、９２２、９２４、９４２、９４４は給紙ユニットであり（９２０は手差し給紙ユニット）、各給紙ローラ９２１、９２３、９２５、９４３、９４５の駆動により、転写用紙が装置内へ給送され、レジストローラ９２６の配設位置で一旦停止し、感光ドラム９１０に形成された画像との書き出しタイミングがとられ再給送される。
【００４７】
９２７は転写帯電器であり、感光ドラム９１０に現像されたトナー像を給送される転写用紙に転写する。９２８は分離帯電器であり、転写動作の終了した転写用紙を感光ドラム９１０より分離する。転写されずに感光ドラム９１０上に残ったトナーはクリーナ９１１によって回収される。９２９は搬送ベルトで、転写プロセスの終了した転写用紙を定着器９３０に搬送し、例えば熱により定着される。９３１はフラッパであり、定着プロセスの終了した転写用紙の搬送パスを、ソータ９３２または中間トレイ９３７の配置方向のいずれかに制御する。
【００４８】
また、９３３〜９３６は給送ローラであり、一度定着プロセスの終了した転写用紙を中間トレイ９３７に反転（多重）または非反転（両面）して給送する。９３８は再給送ローラであり、中間トレイ９３７に載置された転写用紙を再度、レジストローラ９２６の配設位置まで搬送する。
【００４９】
コントローラユニット９３９には後述するマイクロコンピュータ、画像処理部等を備えており、マンマシンインターフェース装置９４０からの指示に従って、前述の画像形成動作を行う。
【００５０】
図５は、図４に示したマルチファンクションシステムのコントローラユニット９３９の構成を説明するブロック図である。
【００５１】
図５において、コントローラユニット９３９は画像入力デバイスであるスキャナ部１０や画像出力デバイスであるプリンタ部２０と接続し、一方ではＬＡＮ３０００や公衆回線（ＷＡＮ）１２５１と接続することで、画像情報やデバイス情報の入出力を行う為のコントローラである。
【００５２】
ＣＰＵ１２０１はシステム全体を制御するコントローラである。ＲＡＭ１２０２はＣＰＵ１２０１が動作するためのシステムワークメモリであり、画像データを一時記憶するための画像メモリでもある。ＲＯＭ１２０３はブートＲＯＭであり、システムのブートプログラムが格納されている。１２００は電源制御部で、システムバス１２０７に接続されるデバイスに対する電源供給状態を制御する。
【００５３】
ＨＤＤ１２０４はハードディスクドライブで、システムソフトウェア、画像データ、ソフトウェアカウンタ値などを格納する。ソフトウェアカウンタ値は用紙サイズ別カウンタ領域とデータ処理容量別カウンタ領域が設定されており、ＣＰＵ１２０１が処理したデータ容量に基づき予め設定した任意の基準容量値を基準に算出してカウントアップが行われる。カウンタ値はＨＤＤ１２０４に限らず電源が切れても記憶保持することができれば、図示しないＥＥＰＲＯＭ等にその記憶領域を持ってもよい。
【００５４】
操作部Ｉ／Ｆ１２０６Ａは、操作部（ＵＩ）１４０とのインタフェース部で、操作部１４０に表示する画像データを操作部１４０に対して出力する。また、操作部１４０から本システム使用者が入力した情報を、ＣＰＵ１２０１に伝える役割をする。ネットワークインタフェース（Ｎｅｔｗｏｒｋ）１２１０はＬＡＮ３０００に接続し、情報の入出力を行う。Ｍｏｄｅｍ１２５０は公衆回線１２５１に接続し、情報の入出力を行う。音声入出力ユニット５００は音声をスピーカーに対して出力したり、ハンドセットに対して、音声出力したり、音声入力するための制御を行う。スキャナ・プリンタ通信Ｉ／Ｆ１２０６Ｂはスキャナ部１０、プリンタ部２０のＣＰＵとそれぞれ通信を行うためのＩ／Ｆである。以上のデバイスがシステムバス１２０７上に配置される。
【００５５】
Ｉｍａｇｅ  Ｂｕｓ  Ｉ／Ｆ１２０５はシステムバス１２０７と画像データを高速で転送する画像バス１２０８を接続し、データ構造を変換するバスブリッジである。
【００５６】
画像バス１２０８は、ＰＣＩバスまたはＩＥＥＥ１３９４で構成される。画像バス１２０８上には以下のデバイスが配置される。ラスタイメージプロセッサ（ＲＩＰ）１２６０はＰＤＬコードをビットマップイメージに展開する。デバイスＩ／Ｆ部１２２０は、画像入出力デバイスであるスキャナ部１０やプリンタ部２０とコントローラユニット９３９を接続し、画像データの同期系／非同期系の変換を行う。
【００５７】
スキャナ画像処理部１２８０は、入力画像データに対し補正、加工、編集を行う。プリンタ画像処理部１２９０は、プリント出力画像データに対して、プリンタの補正、解像度変換等を行う。画像回転部１２３０は画像データの回転を行う。画像圧縮部１２４０は、多値画像データはＪＰＥＧ、２値画像データはＪＢＩＧ、ＭＭＲ、ＭＨの圧縮伸長処理を行う。
【００５８】
１３７０はＰＤＬアクセラレータで、ＳｕｂＣＰＵ１３２０はＮｅｔｗｏｒｋ１２１０を介して受信したプリントデータを画像形成を行うためのビットマップデータへ展開処理を行うアクセラレータとして作用し、ＲＡＭ１３３０は、ＳｕｂＣＰＵ１３２０が動作するためのワークメモリであり、ＲＯＭ１３４０はＰＤＬアクセラレータとしての機能プログラムが格納されている。
【００５９】
ＰＤＬアクセラレータ１３７０とＣＰＵ１２０１を含むコントローラユニット９３９とはバスアイソレータ１３１０を介して接続されており、ＰＤＬアクセラレータ１３７０とメインコントローラは個別に電源供給を行う制御が可能であり、電源制御部１２００のブロックにおいて電源供給部１４００または電源１３００を制御することにより、電源Ａ１３６０と電源Ｂ１３５０とプリンタ部２０、スキャナ部１０への電源供給の制御が行われる。バスアイソレータ１３１０は電源Ａ１３６０に電源が供給されている状態で電源Ｂ１３５０への供給が遮断された場合に他方の電源による電流の回りこみ回避の役割をしている。
【００６０】
図６は、図１のホストコンピュータ１０００の構成を説明するブロック図である。なお、図４と同一のものには同一の符号を付してある。
【００６１】
図６において、ホストコンピュータ１０００はネットワークインタフェース１００１を有していて、ＬＡＮ等のネットワーク３０００を介してホストコンピュータ１１００（図１）や印刷装置２２００（図１）と双方向通信可能である。ホストコンピュータ１０００はＣＰＵ１０１１と、ＲＡＭ１０１２と、ＲＯＭ１０１３と、プリンタインタフェース１００２と、ネットワークインタフェース１００１と、マウスインタフェース（マウス  Ｉ／Ｆ）１００８と、キーボードインタフェース（ＫＢＤ  Ｉ／Ｆ）１００６と、ハードディスクインタフェース（ＨＤ  Ｉ／Ｆ）１０１０と、ＣＲＴ１０００−１のためのビデオインタフェース（ビデオ  Ｉ／Ｆ）１００４とが、システムバスを介して相互に接続してある。
【００６２】
ＲＯＭ１０１３は基本入出力プログラムが記憶してある。ＣＰＵ１０１１は電源の起動により、ＲＯＭ１０１３の基本入出力プログラムに従って、システムバスに接続される基本デバイスを総括的に制御し、ハードディスク（ＨＤ）１００９からＲＡＭ１０１２に記憶されたオペレーティングシステムとアプリケーションプログラムに従って、図形と、イメージと、文字と表等が混在した文書処理を実行するものである。
【００６３】
このオペレーティングシステムはホストコンピュータ１０００を運用する上で核となるシステムで、ビデオインタフェース１００４を介して接続されるＣＲＴ１０００−１への表示機能と、ハードディスクインタフェース１０１０を介して接続されるハードディスク１００９の入出力と、ユーザごとのアクセス権管理機能と、アプリケーションプログラムインタフェースを提供し、アプリケーションやスクリーンセーバの動作を制御する。
【００６４】
ＲＡＭ１０１２には、オペレーティングシステムと、アプリケーションプログラムとの他に、プリンタドライバと、スクリーンセーバ等が記憶されている。
【００６５】
プリンタドライバは印刷に関する機能が集約されており、オペレーティングシステムが常駐しており、アプリケーションと、スクリーンセーバと、プリンタドライバと、ホストコンピュータ１０００のインタフェースに接続される各種デバイスの処理を監視しており、印刷データが送信される可能性の高い処理が実行されたのを検出した場合は、印刷装置２０００に節電機能制御コマンドを送信する。
【００６６】
スクリーンセーバは公知の技術である画面表示制御プログラムであって、表示画面の保護や消費電力の低減のため、一定時間入力操作が行われないと、同一画面を連続表示せず、予め用意されている画面（動画、静止画、無表示）に切り替える処理を行う。
【００６７】
ホストコンピュータ１０００には、キーボードインタフェース１００６を介して接続されるキーボード１００５とマウスインタフェース１００８を介して接続されるマウス１００７等が接続されており、オペレーティングシステムや各種プログラムの操作やデータ入力に利用されている。
【００６８】
図７は、本発明に係る画像処理装置における第１のデータ処理手順の一例を示すフローチャートであり、図２に示した印刷装置のＲＯＭ１０２にストアされる制御プログラムに依るデータ処理手順の一例に対応する。なお、Ｓ１０１〜Ｓ１１４は各ステップを示す。
【００６９】
ステップＳ１０１にて、図２の印刷装置２０００においては、クロック発生部１０８の現時点でのクロック値を変数Ｓ＿ＴＩＭＥにセットする。この変数Ｓ＿ＴＩＭＥはＲＡＭ１０３に保管されている。次に、ステップＳ１０２にて、入出力部１０５がホストコンピュータ１０００から所定のデータを受信したか否かを判断し、所定のデータを受信したと判断した場合はステップＳ１０６へ進み、受信していないと判断した場合はステップＳ１０３へ進む。
【００７０】
なお、ここでいう所定のデータとは、出力画像を生成するための印刷データと、節電機能を制御する節電機能コマンドとを意味する。
【００７１】
そして、ステップＳ１０３にて、クロック発生部１０８の現時点でのクロック値から、変数Ｓ＿ＴＩＭＥの値を減算し、減算結果が、ＲＡＭ１０３の環境情報に保管されている節電開始時間未満であると判断した場合は、ステップＳ１０２に戻り、節電開始時間以上であると判断した場合は、ステップＳ１０４に進む。
【００７２】
なお、ここでいう節電開始時間とは、データを受信しなくなってからスリープ機能を開始するまでの時間であり、固定値であっても良い。
【００７３】
そして、ステップＳ１０４にて、印刷装置がスリープ状態（スリープモード）であるか否かを判断し、スリープモードと判断した場合は、ステップＳ１０２へ戻り、スリープモードでないと判断した場合はステップＳ１０５へ進む。
【００７４】
そして、ステップＳ１０５にて、印刷装置２０００のスリープ機能を実行し、ステップＳ１０２へ戻る。
【００７５】
一方、ステップＳ１０２で、所定のデータを受信したと判断した場合は、ステップＳ１０６で、受信した所定のデータの種類を判断して、出力画像を生成するための印刷データであると判断した場合は、ステップＳ１０７へ進み、節電機能制御コマンドであると判断した場合は、ステップＳ１１０へ進む。
【００７６】
そして、ステップＳ１０７で、印刷装置が現在データ受信を待機する状態であるか否かを判断し、待機状態でないと判断した場合は、ステップＳ１０８へ進み、待機状態であると判断した場合は、ステップＳ１０９へ進む。
【００７７】
一方、ステップＳ１０７で、待機状態でないと判断した場合は、ステップＳ１０８で、印刷装置を待機状態にするために、定着器ユニットを所定の温度まで昇温するウォームアップ処理を実行する。次に、ステップＳ１０９で、受信した印刷データに基づいて印刷処理を実行して、ステップＳ１０１へ戻る。
【００７８】
一方、ステップＳ１０６で、受信したデータが節電機能制御コマンドであると判断した場合は、ステップＳ１１０で、さらに節電機能制御コマンドの種類を判断し、節電機能制御コマンドが待機コマンドであると判断した場合は、ステップＳ１１１へ進み、スリープコマンドであると判断した場合は、ステップＳ１１３へ進む。
【００７９】
そして、ステップＳ１１１で、印刷装置が待機状態であるか否かを判断し、待機状態でないと判断した場合は、ステップＳ１１２へ進み、待機状態と判断した場合は、ステップＳ１０１に戻る。
【００８０】
そして、ステップＳ１１２では、印刷装置を待機状態にするために、上記同様のウォームアップを実行し、その後ステップＳ１０１に戻る。
【００８１】
一方、ステップＳ１１０で、スリープコマンドであると判断した場合は、ステップＳ１１３で、印刷装置が現在スリープモードであるか否かを判断し、スリープモードであると判断した場合はステップＳ１０２へ戻り、スリープモードでないと判断した場合は、ステップＳ１１４にて、印刷装置２０００のスリープモードを実行し、その後、ステップＳ１０２に戻る。
【００８２】
なお、図５に示したマルチファンクションシステムにおいては、図２に示されたように制御プログラムはＲＯＭ１２０３あるいはＨＤＤ１２０４にストアされており、ＨＤＤにストアされている場合はＲＡＭ上にロードされる。
【００８３】
また、マルチファンクションシステムではスリープタイマの値は、タイマ１２１１の値を基準に設定され、スリープ移行までのタイマ設定が行われる。
【００８４】
また、ＲＡＭ上にはタイマ１２１１の値を基準にプリントとコピーそれぞれスリープタイマ変数をＲＡＭ上に保管されており、それぞれのスリープタイマ変数を非同期にセットリセットが可能である。ホストコンピュータとのデータ受信はＮｅｔｗｏｒｋ１２１０により行う。動作フローには同様のステップで制御が可能である。
【００８５】
以下、図１に示したホストコンピュータ１０００等上に常駐する監視プログラムの機能について説明する。
【００８６】
上記監視プログラムはオペレーティングシステム上に常駐していて常に各種デバイスやイベントを監視しており、具体的には以下の（１）〜（９）の処理が行われた時に、印刷装置２０００に対する節電機能制御コマンド（節電コマンドと、スリープコマンドとを含む）を発行する。
【００８７】
（１）ホストコンピュータ１０００のハードディスク１００９にインストールされているオペレーティングシステムが起動し、監視プログラムの常駐が完了した時に、印刷装置２０００を待機状態にする節電機能制御コマンドを発行する。
【００８８】
（２）オペレーティングシステムにおいて、アプリケーションよりプリンタドライバの設定項目に変更が加えられた時に印刷装置２０００を待機状態にする節電機能制御コマンドを発行する。
【００８９】
（３）ホストコンピュータ１０００のキーボード１００５や、マウス１００７から一定時間入力操作が行われず、スクリーンセーバの画面が表示される時に、印刷装置２０００をスリープ状態にする節電機能制御コマンドを発行し、スクリーンセーバの画面がオペレーティングシステムの画面に切り替わる時に、印刷装置２０００を待機状態にする節電機能制御コマンドを発行する。
【００９０】
（４）ホストコンピュータ１０００のキーボード１００５や、マウス１００７から入力操作が行われた時に、印刷装置２０００を待機状態にする節電機能制御コマンドを発行する。
【００９１】
（５）オペレーティングシステム上で、アプリケーションが起動された時に、印刷装置２０００を待機状態にする節電機能制御コマンドを発行する。
【００９２】
（６）ユーザがアプリケーション用の作成済み文書をハードディスク１００９等から読み込んだ時に、印刷装置２０００を待機状態にする節電機能制御コマンドを発行する。
【００９３】
（７）ユーザがアプリケーション用の作成済み文書をハードディスク１００９等に保存した時に、印刷装置２０００を待機状態にする節電機能制御コマンドを発行する。
【００９４】
（８）ユーザがアプリケーションで編集中の文書の書式設定を行った時に、印刷装置２０００を待機状態にする節電コマンドを発行する。
【００９５】
（９）コピー機能とプリンタ機能毎にスリープ移行設定を行う場合に、プリンタスリープ状態への節電コマンドまたはプリンタスリープ状態からの復帰時にコピー機能はスタンバイ状態にさせないように制御を行う。
【００９６】
以上監視プログラムが節電機能制御コマンドが発行されるタイミングとして考えられるホストコンピュータ１０００上の処理について例を挙げたが、これらの処理はオペレーティングシステムに接続されているデバイスの種類やオペレーティングシステムと、アプリケーションと、スクリーンセーバと、プリンタドライバ等の処理形態が変わった場合に合わせて変化する。
【００９７】
図８は、本発明に係る画像処理装置における第２のデータ処理手順の一例を示すフローチャートであり、図５に示したマルチファンクションシステムのＲＯＭ１２０３またはＨＤＤ１２０４にストアされている制御プログラムの一例に対応する。なお、Ｓ８０１〜Ｓ８０６は各ステップを示す。また、コピー機能使用時には操作部１４０を介して各種モード設定やコピー開始等の設定操作が行われる。
【００９８】
先ず、ステップＳ８０１において、図５に示したタイマ１２１１により設定されたコピースリープタイマ変数を設定しＲＡＭ１２０２上に保管する。そして、ステップＳ８０２において、図５に示したマルチファンクションシステムの操作部１４０により所定の操作が行われたか否かをモニタリングしており、なんらかの操作が行われた場合は、ステップＳ８０６によりコピー機能と使用できるコピー機能スタンバイ状態へと移行する。
【００９９】
一方、ステップＳ８０２において何も操作が行われないと判断した場合は、Ｓ８０３において、所定時間が経過しているか否かを判断し、経過していないと判断した場合は再びステップＳ８０２へ戻り、経過している場合は、ステップＳ８０４で、現在コピー機能スリープ状態であるか否かを判断し、スリープ状態であると判断した場合は再びステップＳ８０２へ戻り、コピー機能スリープ状態でない場合は、ステップＳ８０５で、コピー機能スリープ状態へと移行した後、ステップＳ８０２へ戻る。
【０１００】
なお、ここでいうコピー機能スリープ状態とは、図５に示したマルチファンクションシステムにおいて、電源１３５０、電源１３６０、操作部１４０、スキャナ部１０、プリンタ部２０への電源供給の遮断が行われた状態である。
【０１０１】
この場合、第２の制御手段として機能するサブＣＰＵ１３２０を備えるＰＤＬアクセラレータ１３７０の電源１３５０へは供給されない状態をいう。
【０１０２】
ただし、図７に示したプリンタ機能スリープタイマのフローがコピー機能スリープタイマとは独立して動作しているため、コピー機能スリープ状態への移行前にプリンタ機能スリープ状態になっている場合がある。この場合はスキャナ、プリンタ、操作部、メインコントローラの電源を遮断する。
【０１０３】
また、逆にスタンバイ状態への復帰時においても、コピー機能、プリンタ機能のスリープタイマが非同期に動作していることから、コピー機能スタンバイ時にプリンタ機能のみスリープの状態、つまりＰＤＬアクセラレータのみ電源供給しない状態からプリンタ機能スタンバイ状態へ移行することが可能である。
【０１０４】
本実施形態では、ホストコンピュータ１０００上で印刷データが送信されると予想された時に、ホストコンピュータ１０００上の監視プログラムが節電機能制御コマンドを印刷装置２０００に発行し、該節電機能制御コマンドを受信した印刷装置２０００は、スリープ状態を中止させるとともに、印刷装置２０００の印刷部１０７の熱定着器のウォームアップ処理を開始させる。
【０１０５】
ホストコンピュータ１０００は複数の印刷装置を利用可能であって、使用する印刷装置をプリンタドライバで選択することができるので、ホストコンピュータ１０００では、監視プログラムがホストコンピュータ１０００の各種デバイスやイベントを監視し、印刷データが送信される可能性の高い処理の実行を検出した場合に、印刷装置２２００に節電機能制御コマンドを送信することもできる。
【０１０６】
また、節電機能制御コマンドを受信した印刷装置２２００は、節電機能制御コマンドを受信した印刷装置２０００と本質的に同様に動作して、スリープを中止させるとともに、マルチファンクションシステム２２００の熱定着器のウォームアップを開始させる。
【０１０７】
〔第２実施形態〕
上記第１実施形態では、監視プログラムが予めプログラムに組み込まれている判断基準に基づいて節電機能制御コマンドを送信するようにしたが、このようにした場合、数ある判断基準のうちの何れかの１つでも検出した場合に、節電機能制御コマンドが送信されるので、ユーザの意図していない時にコマンドが発行されることがあった。
【０１０８】
そこで、第２実施形態はこのような問題点を解決したものであり、本実施形態では、監視プログラムの判断基準の選択画面をＣＲＴ上に表示させ、ユーザが期待した処理が実行された時のみ、節電機能制御コマンドを発行するように制御してもよい。以下、その実施形態について説明する。
【０１０９】
図９は、本発明に係る画像処理システムにおけるスリープモード設定画面の一例を示す図であり、図６に示したＣＲＴ１０００−１上に表示される基準選択画面に対応する。
【０１１０】
図９において、基準選択画面９０００は、オペレーティングシステム上で表示されるものであって、監視プログラムの判断基準選択を行う独立したプログラムであっても、プリンタドライバの設定画面の一つとして表示されたのでも良い。
【０１１１】
説明文字列９００２は、判断基準の概略説明が表記されており、チェックボックス９００１と一対になっている。基準選択画面９０００内のチェックボックス９００１は、監視プログラムの判断基準の選択状態を表し、選択し、非選択を指示するのに使用される。マウス１００７が操作されてチェックボックスがクリックされた場合には、チェックボックスに「×」が表示され、「×」が付された判断基準が選択される。
【０１１２】
「スリープ状態へ」ボタン９００３はマウス１００７等の装置によりクリックされると、印刷装置をスリープ状態にする節電機能制御コマンドを即座に発行する。
【０１１３】
「待機状態へ」ボタン９００４はマウス１００７等の装置によりクリックされると、印刷装置を待機状態にする節電機能制御コマンドが即座に発行される。
【０１１４】
「設定を実行」ボタン９００５はマウス１００７等の装置によりクリックされると、チェックボックス９００１で選択指示されている、判断基準が監視プログラムに設定されクローズされる。
【０１１５】
「設定をキャンセル」ボタン９００６はマウス１００７等の装置によりクリックされると、その時、基準選択画面９０００内で設定された内容を無効にして同画面がクローズされる。
【０１１６】
以上説明したような構成の基準選択画面９０００により監視プログラムは、ユーザが期待した処理が行われた時にだけ、節電機能制御コマンドを発行することが可能となる。
【０１１７】
図１０は、図５に示した操作部１４０に表示されるスリープタイマ設定画面の一例を示す図である。
【０１１８】
図１０において、操作部１４０によりコピー機能スリープタイマを設定するためのダイアログ９００８と、プリント機能スリープタイマを設定するためのダイアログ９００９によりそれぞれスリープモードへ移行する時間を設定可能となっている。それぞれのダイアログに設定された時間はスリープ移行への基準値としてＲＡＭ上に保管される。
【０１１９】
なお、図１０に示す画面は、設定画面の一例でありコピー機能とプリンタ機能の各々にタイマ値を設定できるものであれば、この画面表示例に限らない。
【０１２０】
図１１は、本発明に係る画像処理システムにおけるスタンバイモード時のユニット毎の電源供給状態の一例を示す図であり、図５に示した画像処理システムに対応する。
【０１２１】
図１１において、フルスタンバイ状態においては、図５に示したプリンタ部２０を構成する図４に示した熱定着器９３０、図５に示したメインＣＰＵ１２０１、サブＣＰＵ１３２０、操作部１４０で電源供給（ＯＮ状態）されている状態である。
【０１２２】
コピー機能スタンバイ状態では、この例の場合、デバイスＡ群として熱定着器９３０、メインＣＰＵ１２０１、操作部１４０が分類されており、電源供給される。
【０１２３】
また、プリンタスタンバイ状態では、デバイスＢ群として熱定着器９３０、メインＣＰＵ１２０１、サブＣＰＵ１３２０が分類されており群に属するデバイスに電力が供給されている状態を示している。
【０１２４】
なお、図１１はマルチファンクションシステムを構成するデバイスの分類わけと電力供給状態の一例を示しており、それぞれの群にその他のデバイスをさまざまに組み合わせて電力供給の状態を作り出してもかまわない。意図するところは、コピー機能とプリンタ機能で必要最低限必要なデバイスのみ電力を供給するように群分けするものである。
【０１２５】
図１２は、本発明に係る画像処理装置における第３のデータ処理手順の一例を示すフローチャートであり、図５に示したマルチファンクションシステムのＲＯＭ１２０３またはＨＤＤ１２０４にストアされている制御プログラム（マルチファンクションシステムのスリープモードによる電源供給状態へ遷移処理）の一例に対応する。なお、Ｓ１１０１〜Ｓ１１０５は各ステップを示す。
【０１２６】
先ず、メイン電源が入った直後の場合は、ステップＳ１１０１において、マルチファンクションシステムを構成するすべてのデバイスに電源が供給される。そして、ステップＳ１１０２において、予め設定されたプリンタ機能スリープタイマにより所定時間が経過してプリンタ機能スリープ状態へ移行すべきタイミングかどうかを判断して、プリンタ機能スリープ状態へ移行すべきタイミングであると判断した場合は、ステップＳ１１０３で、図１１に示した例のようにデバイスＡ群のみに電力が供給される状態に移行し、ステップＳ１１０４移行へ進む。
【０１２７】
一方、ステップＳ１１０２でプリンタ機能スリープ状態へ移行すべきタイミングでないと判断した場合は、ステップＳ１１０４で、予め設定されたコピー機能スリープタイマにより所定時間が経過してコピー機能スリープ状態へ移行すべきタイミングかどうかを判断して、コピー機能スリープ状態へ移行すべきタイミングでないと判断した場合は、ステップＳ１１０２へ戻り、コピー機能スリープ状態へ移行すべきタイミングであると判断した場合は、デバイスＢ群の電力供給も遮断（ストップ）される状態に移行して、スタンバイ状態となる。
【０１２８】
図１３は、図５に示した操作パネル１４０のＬＣＤ表示部に表示される基本画面構成を説明する図である。
【０１２９】
図１３において、１２１は拡張機能キーであり、このキーを押すことによって両面複写、多重複写、移動、とじ代の設定、枠消しの設定等のモードに入る。１２２は画像モードキーであり、複写画像に対して網掛け、影付け、トリミング、マスキングを行うための設定モードに入る。
【０１３０】
１２３はユーザーモードキーであり、モードメモリの登録、標準モード画面の設定がユーザごとに行える。１２４は応用ズームキーであり、原稿のＸ方向、Ｙ方向を独立に変倍するモード、原稿のサイズと複写サイズから変倍率を計算するズームプログラムのモードに入る。１２５、１２６、１２７はＭ１キー、Ｍ２キー、Ｍ３キーであり、それぞれのモードメモリを呼び出す際に押す。１２８はコールキーであり、前回設定されていた複写モードを呼び出す際に押す。１２９はオプションキーであり、フィルムから直接複写するためのフィルムプロジェクタ等のオプション機能の設定を行う。
【０１３１】
１３０はソータキーであり、ソート出力、グループ出力等のモード設定を行う。１３１は原稿混載キーであり、原稿フィーダにＡ４サイズとＡ３サイズ、またはＢ５サイズとＢ４サイズの原稿を一緒にセットする際に押す。１３２は等倍キーであり、複写倍率を１００％にする際に押す。１３４、１３５はそれぞれ縮小キー、拡大キーであり、定形の縮小、拡大を行う際に押す。１３６はズームキーであり、１％刻みで非定形の縮小、拡大を行う際に押す。１３３は用紙選択キーであり、複写用紙の選択を行う際に押す。
【０１３２】
１３８Ａ、１３８Ｂは濃度キーであり、１３８Ａを押すごとに濃く複写され、１３Ｂを押すごとに薄く複写される。１３７は濃度表示であり、濃度キーを押すと表示が左右へ変化する。１３９はＡＥキーであり、新聞のように地肌の濃い原稿を自動濃度調整複写するときに押す。１４１はＨｉＦｉキーであり、写真原稿のように中間調の濃度が多い原稿の複写の際に押す。１４２は文字強調キーであり、文字原稿の複写で文字を際立たせたい場合に押下する。
【０１３３】
図１４は、図４に示したマルチファンクションシステムにおけるスキャナ部１０、プリンタ部２０の構成を示すブロック図である。
【０１３４】
図１４において、１４５１は前記スキャナ１０全体の制御を行うＣＰＵであり、制御プログラムを記憶した読み取り専用メモリ１４５３（ＲＯＭ）からプログラムを順次読み取り実行する。ＣＰＵ１４５１のアドレスバス、データバスはバスドライバ、アドレスデコーダ１４５２からなる回路を介して各負荷に接続されている。また、コントローラユニット３０のＣＰＵと接続され、通信を行う。
【０１３５】
１４５４はランダムアクセスメモリ（ＲＡＭ）で、入力データの記憶や作業用記憶領域等として用いる主記憶装置として機能する。１４５５はＩ／Ｏインターフェースであり、給紙系、搬送系、光学系の駆動を行うモータ類１４５６、ランプ類１４５７、また、搬送される用紙を検知する紙検知センサ類１４５８の装置の各負荷に接続される。
【０１３６】
また、ＣＣＤユニット９０６により読み込まれた画像データは、コントローラ３０に転送される。
【０１３７】
次に、１４０１は前記プリンタ部２０の制御を行うＣＰＵであり、制御手順（制御プログラム）を記憶した読み取り専用メモリ１４０３（ＲＯＭ）からプログラムを順次読み取り、実行する。ＣＰＵ１４０１のアドレスバスおよびデータバスは１４０２のバスドライバ回路、アドレスデコーダ回路をへて各負荷に接続されている。
【０１３８】
また、１４０４は入力データの記憶や作業用記憶領域等として用いる主記憶装置であるところのランダムアクセスメモリ（ＲＡＭ）である。１４０５はＩ／Ｏインターフェースであり、給紙系、搬送系、光学系の駆動を行うモータ類１４０７、クラッチ類１４０８、ソレノイド類１４０９、また、搬送される用紙を検知するための紙検知センサ類１４１０等の装置の各負荷に接続される。現像器１４１８には現像器内のトナー量を検知するトナー残量検知センサ１４１１が配置されており、その出力信号がＩ／Ｏポート１４０５に入力される。１４１２は高圧ユニットであり、ＣＰＵ１４０１の指示に従って、前述の１次帯電器９１３、現像器９１８、転写前帯電器９１９、転写帯電器９２７、分離帯電器９２８へ高圧を出力する。
【０１３９】
ＣＣＤユニット９０６から出力された画像信号はコントローラユニット３０により、後述する画像処理を行い、画像データに従ってレーザユニット８１７の制御信号を出力する。レーザユニット８１７から出力されるレーザ光は感光ドラム９１０を照射し、露光するとともに非画像領域において受光センサであるところのビーム検知センサ１４１３によって発光状態が検知され、その出力信号がＩ／Ｏポート１４０５に入力される。
【０１４０】
以下、図１５に示すメモリマップを参照して本発明に係る画像処理システムで読み取り可能なデータ処理プログラムの構成について説明する。
【０１４１】
図１５は、本発明に係る画像処理システムで読み取り可能な各種データ処理プログラムを格納する記憶媒体のメモリマップを説明する図である。
【０１４２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１４４】
本実施形態における図７，図８、図１２に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４６】
この場合、記憶媒体から読み出されたプログラムコード自体が本発明の新規な機能を実現することになり、そのプログラムコードを記憶した記憶媒体は本発明を構成することになる。
【０１４７】
従って、プログラムの機能を有していれば、オブジェクトコード、インタプリタにより実行されるプログラム、ＯＳに供給するスクリプトデータ等、プログラムの形態を問わない。
【０１４８】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１４９】
この場合、記憶媒体から読出されたプログラムコード自体が前述した実施形態の機能を実現することになり、そのプログラムコードを記憶した記憶媒体は本発明を構成することになる。
【０１５０】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５４】
本発明は上記実施形態に限定されるものではなく、本発明の趣旨に基づき種々の変形（各実施形態の有機的な組合せを含む）が可能であり、それらを本発明の範囲から排除するものではない。
【０１５５】
なお、本発明は、上記した実施形態に限定されるものではなく、本発明の要旨を逸脱しない範囲内において種々変更を加え得ることは勿論である。
【０１５６】
以上説明したように、本実施形態によれば、コンピュータから画像形成データが受信された場合に、即座に画像形成処理を開始させることができると共に、コピー機能やプリンタ機能等の機能動作に必要なデバイスにのみ電力供給制御を行うように各機能毎のスリープタイマを設定することでインテリジェントな電力制御を実現できる。
【０１５７】
なお、熱定着器ウォームアップ完了までの残り時間を基準にサブＣＰＵの電源制御を実行するので、節電効果向上が期待できる。
【図面の簡単な説明】
【０１５８】
【図１】本発明の第１実施形態を示す複合機能処理装置を適用可能な画像処理システムの一例を示すブロック図である。
【図２】図１に示した印刷装置の構成を説明するブロック図である。
【図３】図２に示したＲＡＭのメモリマップを示す図である。
【図４】図１に示したマルチファンクションシステムの構成を説明する断面図である。
【図５】図４に示したマルチファンクションシステムのコントローラユニットの構成を説明するブロック図である。
【図６】図１のホストコンピュータの構成を説明するブロック図である。
【図７】本発明に係る画像処理装置における第１のデータ処理手順の一例を示すフローチャートである。
【図８】本発明に係る画像処理装置における第２のデータ処理手順の一例を示すフローチャートである。
【図９】本発明に係る画像処理システムにおけるスリープモード設定画面の一例を示す図である。
【図１０】図５に示した操作部に表示されるスリープタイマ設定画面の一例を示す図である。
【図１１】本発明に係る画像処理システムにおけるスタンバイモード時のユニット毎の電源供給状態の一例を示す図である。
【図１２】本発明に係る画像処理装置における第３のデータ処理手順の一例を示すフローチャートである。
【図１３】図５に示した操作パネルのＬＣＤ表示部に表示される基本画面構成を説明する図である。
【図１４】図４に示したマルチファンクションシステムにおけるスキャナ部、プリンタ部の構成を示すブロック図である。
【図１５】本発明に係る画像処理システムで読み取り可能な各種データ処理プログラムを格納する記憶媒体のメモリマップを説明する図である。
【符号の説明】
【０１５９】
１４０  操作部
１１００  ホストコンピュータ
１２００  電源制御部
１２０１  ＣＰＵ
１３２０  サブＣＰＵ
【図１】
2005254483.tif 000003
【図２】
2005254483.tif 000004
【図３】
2005254483.tif 000005
【図４】
2005254483.tif 000006
【図５】
2005254483.tif 000007
【図６】
2005254483.tif 000008
【図７】
2005254483.tif 000009
【図８】
2005254483.tif 000010
【図９】
2005254483.tif 000011
【図１０】
2005254483.tif 000012
【図１１】
2005254483.tif 000013
【図１２】
2005254483.tif 000014
【図１３】
2005254483.tif 000015
【図１４】
2005254483.tif 000016
【図１５】
2005254483.tif 000017